(57)【特許請求の範囲】
【請求項１】
フランジ部と、このフランジ部に突設された筒状の胴部を備えると共に空気が前記フランジ部と胴部を通過可能な換気口装置であって、前記フランジ部に形成された第１遮蔽板部と、前記フランジ部に形成された第１開口部と、前記胴部のフランジ部側と逆側の端面に前記第１遮蔽板部に対応して形成された第２開口部と、前記胴部のフランジ部側と逆側の端面に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、を有してなることを特徴とする換気口装置。
【請求項２】
フランジ部と、このフランジ部に突設された筒状の胴部を備えると共に空気が前記フランジ部と胴部を通過可能な換気口装置であって、前記フランジ部に形成された第１遮蔽板部と、前記フランジ部に形成された第１開口部と、前記胴部のフランジ部側と逆側の端面に前記第１遮蔽板部に対応して形成された第２開口部と、前記胴部のフランジ部側と逆側の端面に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、この回動開閉板に換気口装置の奥行方向に向って挿入されると共に前記回動開閉板を回動可能に吊り下げる枢支ピンと、前記胴部又は回動開閉板の少なくとも一方に設けられた磁石と、を有してなることを特徴とする換気口装置。
【請求項３】
正面視矩形状に形成されたフランジ部と、このフランジ部に突設された円筒状の胴部を備えると共に外気が前記フランジ部と胴部を通過可能な換気口装置であって、前記フランジ部に形成された第１遮蔽板部と、前記フランジ部に形成された三日月状の第１開口部と、前記胴部のフランジ部側と逆側の端面に前記第１遮蔽板部に対応して形成された楕円形状の第２開口部と、前記胴部のフランジ部側と逆側の端面に前記第１開口部に対応して形成された三日月状の第２遮蔽板部と、前記第１遮蔽板部の円弧状の外周縁部と第２遮蔽板部の円弧状の外周縁部との間に胴部の奥行方向にわたって円弧状に形成された仕切板と、この仕切板に形成された通気開口部と、前記仕切板に密着当接すると共に前記通気開口部を覆うようにして回動可能に設けられた回動開閉板と、この回動開閉板の上端部に換気口装置の奥行方向に向って挿入されると共に前記回動開閉板を回動可能に吊り下げる枢支ピンと、前記胴部の内周面に固定された第１磁石と、前記回動開閉板に前記第１磁石と対応して固定された第２磁石と、を有してなることを特徴とする換気口装置。
【請求項４】
筒状の胴部を備える換気口装置であって、前記胴部の一端部に形成された第１遮蔽板部と、前記胴部の一端部に形成された第１開口部と、前記胴部の他端部に前記第１遮蔽板部に対応して形成された第２開口部と、前記胴部の他端部に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、を有してなることを特徴とする換気口装置。
【請求項５】
筒状の胴部を備える換気口装置であって、前記胴部の一端部に形成された第１遮蔽板部と、前記胴部の一端部に形成された第１開口部と、前記胴部の一端部と逆側の端面に前記第１遮蔽板部に対応して形成された第２開口部と、前記胴部の一端部と逆側の端面に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、この回動開閉板に換気口装置の奥行方向に向って挿入されると共に前記回動開閉板を回動可能に吊り下げる枢支ピンと、前記胴部又は回動開閉板の少なくとも一方に設けられた磁石と、を有してなることを特徴とする換気口装置。
【請求項６】
筒状の胴部を備える換気口装置であって、前記胴部の一端部に形成された第１遮蔽板部と、前記胴部の一端部に形成された三日月状の第１開口部と、前記胴部の一端部と逆側の端面に前記第１遮蔽板部に対応して形成された楕円形状の第２開口部と、前記胴部の一端部と逆側の端面に前記第１開口部に対応して形成された三日月状の第２遮蔽板部と、前記第１遮蔽板部の円弧状の外周縁部と第２遮蔽板部の円弧状の外周縁部との間に胴部の奥行方向にわたって円弧状に形成された仕切板と、この仕切板に形成された通気開口部と、前記仕切板に密着当接すると共に前記通気開口部を覆うようにして回動可能に設けられた回動開閉板と、この回動開閉板の上端部に換気口装置の奥行方向に向って挿入されると共に前記回動開閉板を回動可能に吊り下げる枢支ピンと、前記胴部の内周面に固定された第１磁石と、前記回動開閉板に前記第１磁石と対応して固定された第２磁石と、を有してなることを特徴とする換気口装置。
【発明の詳細な説明】
【技術分野】
【０００１】
本発明は、建築物に取り付けられて建築物の換気を行う換気口装置に関する。
【背景技術】
【０００２】
建築物に取り付けられて建築物の換気を行う換気口装置が従来より提案されている。また、建築物内外の圧力差等で換気を行う場合、換気を計画的に行うため、圧力で開閉可能な弁を設けた換気口装置が従来より提案されている。
図１２に示す従来の換気口装置１００のフランジ部１０２は建築物の壁１０３の壁面１０３Ａに当接されて配設されると共に胴部１０４は壁１０３に貫通形成された換気貫通穴１０５に挿入されて取り付けられている。
前記胴部１０４の内部には回動可能な開閉板１０６が１枚設けられ、開閉板１０６が回動することにより通気開口部１０７を開閉して換気を行っている。前記開閉板１０６は前記胴部１０４の幅方向（図１２紙面直交方向）に向って設けられた枢支ピン１０８に吊り下げられると共に枢支ピン１０８に巻装されたバネ（図示せず）によって図１２の矢印Ｘ方向に常時付勢されている。
このため、前記バネよりも屋外Ｓから屋内Ｕに向って流れる空気の圧力が弱いと開閉板１０６が反矢印Ｘ方向に回動せず通気開口部１０７を閉じているので換気を行うことができない（なお、図１２においては開閉板１０６が反矢印Ｘ方向に回動して通気開口部１０７が開いている状態を示す）。
上述したように前記開閉板１０６を枢支する前記枢支ピン１０８は換気口装置１００の胴部１０４の幅方向（図１２紙面直交方向）に向って配設されているため、前記バネの強さを調節すべくバネを交換する場合は、換気口装置１００を取り出してから枢支ピン１０８、バネを交換しなければならないので、開閉板１０６の開閉調節に手間と時間がかかるという不具合がある。
しかも、前記開閉板１０６は枢支ピン１０８を中心にして屋内Ｕ側に向って回動するため、換気口装置１００のフランジ部１０２を壁１０３の壁面１０３Ａに突出して取り付ける必要があるため見栄えが悪く外観品質が低下するという不具合がある。
また、図１３に示す従来の換気口装置１１０においては胴部１０４の内部に胴部１０４の幅方向（図１３紙面直交方向）に向って開閉可能な半円形状の開閉板１１２が２枚設けられ、これら２枚の開閉板１１２，１１２が開閉することにより通気開口部１０７を開閉して換気を行っている。
前記２枚の開閉板１１２，１１２は前記胴部１０４の上下方向（図１３上下方向）に設けられた枢支ピン１１４に開閉可能に設けられると共に枢支ピン１１４に巻装されたバネ（図示せず）によって通気開口部１０７を閉じる方向に常時付勢されている。
従って、このタイプの換気口装置１１０においても前記バネに比べて屋外Ｓから室内Ｕに流れる空気の圧力が弱いと開閉板１１２，１１２が開かず換気を行うことができない（なお、図１３においては開閉板１１２，１１２が開いている状態を示す）。
また、上述したように前記開閉板１１２，１１２を枢支する前記枢支ピン１１４は換気口装置１１０の胴部１０４の上下方向（図１３上下方向）に配設されているため、前記バネの強さを調節すべくバネを交換する場合は、換気口装置１１０を取り出してから枢支ピン１１４、バネを交換する必要があるので、開閉板１１２，１１２の開閉調節に手間と時間がかかるという不具合がある。
【発明の開示】
【発明が解決しようとする課題】
【０００３】
本発明は、上記事実に鑑みなされたものであり、きめ細かく換気の調節をすることができると共に回動開閉板の交換等を簡単かつ容易に行うことができ、しかも壁面に突出しないで見栄えのよい換気口装置を提供するものである。
【課題を解決するための手段】
【０００４】
請求項１の発明は、フランジ部と、このフランジ部に突設された筒状の胴部を備えると共に空気が前記フランジ部と胴部を通過可能な換気口装置であって、前記フランジ部に形成された第１遮蔽板部と、前記フランジ部に形成された第１開口部と、前記胴部のフランジ部側と逆側の端面に前記第１遮蔽板部に対応して形成された第２開口部と、前記胴部のフランジ部側と逆側の端面に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、を有してなることを特徴としている。
請求項２の発明は、フランジ部と、このフランジ部に突設された筒状の胴部を備えると共に空気が前記フランジ部と胴部を通過可能な換気口装置であって、前記フランジ部に形成された第１遮蔽板部と、前記フランジ部に形成された第１開口部と、前記胴部のフランジ部側と逆側の端面に前記第１遮蔽板部に対応して形成された第２開口部と、前記胴部のフランジ部側と逆側の端面に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、この回動開閉板に換気口装置の奥行方向に向って挿入されると共に前記回動開閉板を回動可能に吊り下げる枢支ピンと、前記胴部又は回動開閉板の少なくとも一方に設けられた磁石と、を有してなることを特徴としている。
請求項３の発明は、正面視矩形状に形成されたフランジ部と、このフランジ部に突設された円筒状の胴部を備えると共に外気が前記フランジ部と胴部を通過可能な換気口装置であって、前記フランジ部に形成された第１遮蔽板部と、前記フランジ部に形成された三日月状の第１開口部と、前記胴部のフランジ部側と逆側の端面に前記第１遮蔽板部に対応して形成された楕円形状の第２開口部と、前記胴部のフランジ部側と逆側の端面に前記第１開口部に対応して形成された三日月状の第２遮蔽板部と、前記第１遮蔽板部の円弧状の外周縁部と第２遮蔽板部の円弧状の外周縁部との間に胴部の奥行方向にわたって円弧状に形成された仕切板と、この仕切板に形成された通気開口部と、前記仕切板に密着当接すると共に前記通気開口部を覆うようにして回動可能に設けられた回動開閉板と、この回動開閉板の上端部に換気口装置の奥行方向に向って挿入されると共に前記回動開閉板を回動可能に吊り下げる枢支ピンと、前記胴部の内周面に固定された第１磁石と、前記回動開閉板に前記第１磁石と対応して固定された第２磁石と、を有してなることを特徴としている。
請求項４の発明は、筒状の胴部を備える換気口装置であって、前記胴部の一端部に形成された第１遮蔽板部と、前記胴部の一端部に形成された第１開口部と、前記胴部の他端部に前記第１遮蔽板部に対応して形成された第２開口部と、前記胴部の他端部に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、を有してなることを特徴とする換気口装置。
請求項５の発明は、筒状の胴部を備える換気口装置であって、前記胴部の一端部に形成された第１遮蔽板部と、前記胴部の一端部に形成された第１開口部と、前記胴部の一端部と逆側の端面に前記第１遮蔽板部に対応して形成された第２開口部と、前記胴部の一端部と逆側の端面に前記第１開口部に対応して形成された第２遮蔽板部と、前記第１遮蔽板部の外周縁部と第２遮蔽板部の外周縁部との間に胴部の奥行方向にわたって形成された仕切板と、この仕切板に形成された通気開口部と、この通気開口部を開閉できるように回動可能に設けられた回動開閉板と、この回動開閉板に換気口装置の奥行方向に向って挿入されると共に前記回動開閉板を回動可能に吊り下げる枢支ピンと、前記胴部又は回動開閉板の少なくとも一方に設けられた磁石と、を有してなることを特徴としている。
請求項６の発明は、筒状の胴部を備える換気口装置であって、前記胴部の一端部に形成された第１遮蔽板部と、前記胴部の一端部に形成された三日月状の第１開口部と、前記胴部の一端部と逆側の端面に前記第１遮蔽板部に対応して形成された楕円形状の第２開口部と、前記胴部の一端部と逆側の端面に前記第１開口部に対応して形成された三日月状の第２遮蔽板部と、前記第１遮蔽板部の円弧状の外周縁部と第２遮蔽板部の円弧状の外周縁部との間に胴部の奥行方向にわたって円弧状に形成された仕切板と、この仕切板に形成された通気開口部と、前記仕切板に密着当接すると共に前記通気開口部を覆うようにして回動可能に設けられた回動開閉板と、この回動開閉板の上端部に換気口装置の奥行方向に向って挿入されると共に前記回動開閉板を回動可能に吊り下げる枢支ピンと、前記胴部の内周面に固定された第１磁石と、前記回動開閉板に前記第１磁石と対応して固定された第２磁石と、を有してなることを特徴としている。
【発明の効果】
【０００５】
本発明の換気口装置は、空気の圧力と磁力のバランスで回動開閉板を開閉して換気を行うので空気の量をきめ細かく調節することができるという優れた効果を有する。
また、本発明の換気口装置は、回動開閉板を吊り下げる枢支ピンは換気口装置の奥行方向に向って配設されるので、簡単に枢支ピンを抜くことができるため回動開閉板の交換等を簡単に行うことができるという優れた効果を有する。
さらに、本発明の換気口装置は、回動開閉板は換気口装置の胴部の周方向に向って回動するので換気口装置を壁面に大きく突出させないで済むので見栄えが悪くならず外観品質を向上することができるという優れた効果を有する。
【発明を実施するための最良の形態】
【０００６】
発明を実施するために最良の形態の例として以下のような実施例を示す。
【実施例１】
【０００７】
図１〜図７には本発明に係る換気口装置の第１実施例が示されている。なお、この実施例では建築物の壁の室内側に取り付ける換気口装置を例にして説明する。
図１及び図２に示されるように、換気口装置１０の一端部には正面視矩形状に形成されたフランジ部１２が形成されている。このフランジ部１２の室内側（図１左側）には正面視矩形状のフランジ部カバー１４が配設されている。このフランジ部カバー１４は前記フランジ部１２に着脱可能に取り付けられるようになっている。また、このフランジ部カバー１４にはフィルター１６が着脱可能に収容されている。
図３に示されるように、前記フランジ部１２には第１遮蔽板部１８が形成されると共に三日月状の第１開口部２０が貫通形成されている。前記フランジ部１２には円筒状の胴部２２が一体的に突設されている。
図６に示されるように、この胴部２２の先端には前記第１遮蔽板部１８に対応して楕円形状の第２開口部２４が形成されている。また、前記胴部２２の先端には前記第１開口部２０に対応して三日月状の第２遮蔽板部２６が形成されている。
図１及び図３に示されるように、前記第１遮蔽板部１４の円弧状の外周縁部と第２遮蔽板部２６の円弧状の外周縁部との間には湾曲した仕切板２８が胴部２２の奥行方向（図１左右方向）に向って設けられている。図３及び図５に示されるように、この仕切板２８には通気開口部３０が大きく形成されている。
また、図４及び図５に示されるように前記仕切板２８には仕切板２８に密着当接すると共に前記通気開口部３０を覆うようにして湾曲した回動開閉板３２が吊り下げられた状態で回動可能に配設されている。
図１及び図７に示されるように、この回動開閉板３２の上端部の両端には係止突起片３４，３４が形成されている。この係止突起片３４，３４には枢支ピン３６が挿入されている。従って、前記回動開閉板３２は枢支ピン３６を中心として胴部２２の周方向（図５矢印方向）に沿って回動可能となっている。
図１に示されるように、この枢支ピン３６の先端部３６Ａは前記第２遮蔽板部２６に挿入され、枢支ピン３６の基端部３６Ｂは第１遮蔽板部１８にネジ４０で取り付けられた枢支ピン係止片４２によって取り付けられている。
図６に示されるように、前記胴部２２の内周面には第１磁石支持片４４が固定され、第１磁石支持片４４の先端部には第１磁石４６が固定されている。
また、前記回動開閉板３２には前記第１磁石支持片４４に対応して第２磁石支持片５０が固定され、第２磁石支持片５０の先端部には第２磁石５２が固定されている。従って、前記回動開閉板３２が回動して前記第１磁石４６と第２磁石支持片５０が接近すると第１磁石４６と第２磁石５２の磁力により、前記回動開閉板３２は通気開口部３０を閉じた状態を維持する（図６の状態）。
図１及び図２に示されるように、前記胴部２２の先端部外周にはリング状のパッキン５４が設けられている。
【０００８】
次に、第１実施例の換気口装置１０の作用について説明する。
換気口装置１０は胴部２２を建築物の壁に貫通形成された通気用貫通穴に挿入すると共に前記フランジ部１２を壁面に当接させた状態で取り付ける。
屋外Ｓから前記通気用貫通穴に空気が入り込むと空気は胴部２２の第２開口部２４から胴部２２内に入り回動開閉板３２に当たって回動開閉板３２を押す。この空気の回動開閉板３２を押す圧力が第１磁石４６と第２磁石５２の磁力より弱いと回動開閉板３２は枢支ピン３６を中心にして回動しないため通気開口部３０は回動開閉板３２に閉じられた状態を維持する（図４、図６参照）。
一方、前記空気の回動開閉板３２を押す圧力が第１磁石４６と第２磁石５２の磁力より強いと回動開閉板３２は空気の圧力に押されて枢支ピン３６を中心にして回動するため回動開閉板３２によって閉じられていた通気開口部３０が開く（図５参照）。
これにより、空気は第２開口部２４から通気開口部３０を通過して第１開口部２０を抜けて屋内側に向って流れ、換気が行われて新鮮な空気を屋内Ｕに取り入れることができる。
従って、前記回動開閉板３２の開閉は空気の圧力と第１磁石４６と第２磁石５２の磁力のバランスによって行われるので、従来の換気口装置のように屋外Ｓから屋内Ｕに流れる空気の圧力とバネの力のバランスで決定されるものと異なり、従来の換気口装置に比べて細やかな換気調節が可能になる。
また、前記枢支ピン３６は換気口装置１０の奥行方向に向って配設されるので、屋内側からネジ４０、枢支ピン係止片４２を取り外して簡単に枢支ピン３６を抜くことができるため、換気口装置１０を取り外さなくても回動開閉板３２を簡単に取り外すことができ、この結果、前記回動開閉板３２に固定されている第２磁石５２等を代えたりすることにより回動開閉板３２の開閉調節を簡単に行うことができる。
さらに、前記回動開閉板３２は枢支ピン３６を中心として胴部２２の周方向（図５矢印方向）に沿って回動するタイプであるので、従来の換気口装置のように屋内Ｕ側に向って開閉板が回動するタイプと異なり壁面にフランジ部１２を大きく突出させる必要がないので、見栄えが悪くならず外観品質を向上させることができる。
【０００９】
図８には本発明に係る換気口装置の第２実施例が示されている。なお、第１実施例の換気口装置１０と同一の構成は同一の符号を用いてその説明を省略する。
図８に示されるように、第２実施例の換気口装置６０が第１実施例の換気口装置１０と大きく異なる点は換気口装置６０においてはフランジ部１２が設けられていない点である。
前記換気口装置６０の円筒状の胴部６２の一端面には第１遮蔽板部１８が形成されると共に三日月状の第１開口部２０が貫通形成されている。この胴部２２の他端面には前記第１遮蔽板部１８に対応して楕円形状の第２開口部２４が形成されている。また、前記胴部２２の先端には前記第１開口部２０に対応して三日月状の第２遮蔽板部２６が形成されている。
従って、換気口装置６０においてはコンパクトにすることができると共に換気口装置６０の全体を建築物の壁に貫通形成された通気用貫通穴や埋設されたダクト内に挿入した状態で配設することができるので、換気口装置６０を目立たさないで設置することができる事や、一般的な換気口と組み合わせて使用することができるというメリットがある。
なお、第２実施例の換気口装置６０の他の構成、作用、効果は前記第１実施例の換気口装置１０と同一であるので、その説明は省略する。
【００１０】
なお、上記第１実施例の換気口装置１０では前記胴部２２の内周面に第１磁石４６を固定し、前記回動開閉板３２に第２磁石５２が固定した例を示したがこれに限定されるものでないことは勿論である。従って、例えば図９に示されるように前記回動開閉板３２に第２磁石支持片５０の代わりに鉄支持片６４を設け、鉄支持片６４に前記第２磁石５２の代わりに鉄６６を固定して前記第１磁石４６と鉄６６が接近すると第１磁石４６の磁力により前記回動開閉板３２が通気開口部３０を閉じるようにしてもよい。
また、図示はしないが、前記胴部２２の内周面に第１磁石支持片４４及び第１磁石４６の代わりに鉄支持片を設けて鉄を固定することにより前記第１磁石４６と鉄が接近すると第１磁石４６の磁力により前記回動開閉板３２が通気開口部３０を閉じるようにしてもよい。
なお、前記第２実施例の換気口装置６０においても同様である。
【００１１】
図１０及び図１１には本発明に係る換気口装置の第３実施例が示されている。なお、第１実施例の換気口装置１０と同一の構成は同一の符号を用いてその説明を省略する。
図１０及び図１１に示されるように、第３実施例の換気口装置７０が第１実施例の換気口装置１０と大きく異なる点は換気口装置７０においては第１磁石４６、第２磁石５２が設けられていない点である。
前記換気口装置７０に設けられる回動開閉板７２は回動開閉板７２の重心位置を変えたり、回動開閉板７２に錘（図示せず）を設けることにより、屋外Ｓから屋内Ｕに向って空気が流れない場合は図１０に示されるように回動開閉板７２が通気開口部３０を閉じるようになっている。
一方、屋外Ｓから屋内Ｕに向って空気が流れて空気の圧力が強くなると回動開閉板７２が回動して通気開口部３０から空気が屋内Ｕに流れるようになっている。
従って、第３実施例の換気口装置７０においては第１実施例の換気口装置１０のように第１磁石４６、第２磁石５２等を用いないので部品点数を抑えることができる。
なお、第３実施例の換気口装置６０の他の構成、作用、効果は前記第１実施例の換気口装置１０と同一であるので、その説明は省略する。
なお、他の構成、作用、効果は前記第１実施例の換気口装置１０と同一であるので、その説明は省略する。
なお、第3実施例の換気口装置７０の説明は第１実施例の換気口装置１０を基にして説明したが、前記第２実施例の換気口装置６０に適用できることは勿論である。
【図面の簡単な説明】
【００１２】
【図１】第１実施例の換気口装置の縦断面図である。
【図２】第１実施例の換気口装置の斜視図である。
【図３】第１実施例の換気口装置のフランジ部カバーと回動開閉板を外した状態の換気口装置の斜視図である。
【図４】第１実施例の換気口装置のフランジ部カバーを外した状態の換気口装置の斜視図である。
【図５】第１実施例の換気口装置のフランジ部カバーを外した状態の換気口装置の斜視図である。
【図６】第１実施例の換気口装置のフランジ部カバーを外した状態の胴部側から見た図である。
【図７】第１実施例の換気口装置の回動開閉板の斜視図である。
【図８】第２実施例の換気口装置の斜視図である。
【図９】実施例の変形例を示す換気口装置のフランジ部カバーを外した状態の胴部側から見た図である。
【図１０】第３実施例の換気口装置のフランジ部カバーを外した状態の胴部側から見た図である。
【図１１】第３実施例の換気口装置の回動開閉板の斜視図である。
【図１２】従来の換気口装置を取り付けた状態の概略縦断面図である。
【図１３】従来の他の換気口装置を取り付けた状態の概略縦断面図である。
【符号の説明】
【００１３】
１０    換気口装置
１２    フランジ部
１８    第１遮蔽板部
２０    第１開口部
２２    胴部
２４    第２開口部
２６    第２遮蔽板部
２８    仕切板
３０    通気開口部
３２    回動開閉板
３６    枢支ピン
４０    ネジ
４２    枢支ピン係止片
４４    第１磁石支持片
４６    第１磁石
５０    第２磁石支持片
５２    第２磁石
５４    パッキン
【図１】
0004819412.tif 000002
【図２】
0004819412.tif 000003
【図３】
0004819412.tif 000004
【図４】
0004819412.tif 000005
【図５】
0004819412.tif 000006
【図６】
0004819412.tif 000007
【図７】
0004819412.tif 000008
【図８】
0004819412.tif 000009
【図９】
0004819412.tif 000010
【図１０】
0004819412.tif 000011
【図１１】
0004819412.tif 000012
【図１２】
0004819412.tif 000013
【図１３】
0004819412.tif 000014